(57)【要約】      （修正有）【課題】量子エネルギーによる治療を容易に行える量子治療器を提供する。【解決手段】メモリカード３に、光子、電子、クウォーク、ニュートリノ等の量子を予め定める周期で照射して量子情報３２を与えておき、そのメモリカード３を、液晶画面２１を搭載する携帯情報端末２に装着する。すると、携帯情報端末２の通電により、量子情報３２のエネルギーが液晶画面２１に与えられてメモリカード３と液晶の微粒子とが共振し、液晶画面２１に量子エネルギー２２が発生する。液晶画面２１にはカメラ２５で撮影した被治療者９の治療対象部位（患部）９２の画像９２ａを表示させておくことで、量子エネルギー２２は量子テレポーテーション現象によって患部９２を治療する。したがって、患部９２の画像９２ａを表示できれば治療を行うことができるので、病院に限らず、遠隔治療を行うことができる。【選択図】図１
0003200035.tif 000002
【実用新案登録請求の範囲】
【請求項１】
治療対象部位の画像を表示する液晶画面と、
前記液晶画面での画面表示のために使用され、量子を予め定める周期で照射されることで量子情報を記憶しており、前記液晶画面での画像表示時に、前記量子情報のエネルギーが液晶の微粒子に共振して該液晶画面に量子エネルギーを発生させる記憶素子とを備え、
前記量子エネルギーが、瞬間移動する量子テレポーテーション現象によって前記治療対象部位を治療することを特徴とする量子治療器。
【請求項２】
前記予め定める周期は、２〜２０００Ｈｚ、好ましくは２〜１００Ｈｚであることを特徴とする請求項１記載の量子治療器。
【請求項３】
前記記憶素子が、フラッシュメモリであることを特徴とする請求項１または２記載の量子治療器。
【請求項４】
前記量子の照射は、前記記憶素子を導電板上に搭載し、該導電板に前記予め定める周期の負の電圧を印加することで行われることを特徴とする請求項１〜３の何れか１項に記載の量子治療器。
【請求項５】
前記記憶素子がカード状に形成され、着脱自在であることを特徴とする請求項１〜４の何れか１項に記載の量子治療器。
【請求項６】
スマートフォンであることを特徴とする請求項５記載の量子治療器。
【請求項７】
デジタルカメラであることを特徴とする請求項５記載の量子治療器。
【考案の詳細な説明】
【技術分野】
【０００１】
本考案は、量子エネルギーを用いて、被治療者の治療対象部位（患部）を治療する量子治療器に関する。
【背景技術】
【０００２】
従来から、人体にマイクロ波や電磁波などを照射して、血行の改善を図ったり、患部の治癒効果を高めたりする治療器が市販されている。しかしながら、たとえばマイクロ波の場合に、マグネトロンが必要になるなど、これらの治療器は大掛かりで、また人体の内部への効果が低い（浸透し難い）ので、本件考案者は、先に特許文献１を提案している。
【０００３】
特許文献１は、交流電源をバイアスに、所謂鉱石ラジオのようなメカニズムで外部から受信された電磁波を、ＬＣ並列共振回路で増幅して重畳し、負の成分のみを取出して電極などから患部へ印加することで、前記電極を構成する素材原子の外殻電子軌道に変動を生じさせ、それに伴う陽子の振動によって量子波を発生させ、患部に照射することで、前記患部の細胞を活性化している。
【０００４】
特許文献２では、その量子波および遠赤外線を医療用シートに照射し、その医療用シートを人体に貼付けることで、同様の効果を得るようにしている。特許文献３では、量子波を食用油に照射することで、該食用油の酸化防止に用いている。
【先行技術文献】
【特許文献】
【０００５】
【特許文献１】特許第５６８４４３４号公報
【特許文献２】特許第５６５７８４１号公報
【特許文献３】特許第５７２７１０４号公報
【考案の概要】
【考案が解決しようとする課題】
【０００６】
上述の特許文献１，３は、マグネトロンなどに比べては、装置が小型で、取扱い易くなるが、それでも、装置に人体などを翳していなければならない。また、特許文献２は、人体に貼るだけで所期の効果が得られるが、入浴等で剥がすと、貼り替えなければならず、煩雑である。
【０００７】
本考案の目的は、量子エネルギーによる治療を行うにあたって、容易に治療を行うことができる量子治療器を提供することである。
【課題を解決するための手段】
【０００８】
本考案の量子治療器は、治療対象部位の画像を表示する液晶画面と、前記液晶画面での画面表示のために使用され、量子を予め定める周期で照射されることで量子情報を記憶しており、前記液晶画面での画像表示時に、前記量子情報のエネルギーが液晶の微粒子に共振して該液晶画面に量子エネルギーを発生させる記憶素子とを備え、前記量子エネルギーが、瞬間移動する量子テレポーテーション現象によって前記治療対象部位を治療することを特徴とする。
【０００９】
上記の構成によれば、治療対象部位に量子エネルギーを照射して治療を行う量子治療器であって、その量子エネルギーの照射を、本件考案者がこれまでに確認した量子テレポーテーション現象を利用して行う。具体的には、先ず、量子治療器は、液晶画面を備えるパーソナルコンピュータや、所謂スマートフォンなどで実現され、前記液晶画面に被治療者の治療対象部位（患部）の画像を表示させる。
【００１０】
一方、量子治療器には、前記液晶画面での画面表示のために使用されるフラッシュメモリなどで実現される記憶素子が設けられており、その記憶素子は、量子を予め定める周期で照射されることで量子情報を記憶している。前記記憶素子としては、好ましくは、フラッシュメモリである。
【００１１】
具体的に、その量子化は、光子、電子、クウォーク、ニュートリノ等の量子を予め定める周期で照射することで行うことができる。その量子の照射は、前記予め定める周期で変動する電位や電場中にフラッシュメモリを所定時間放置することで行うことができる。前記所定時間は、２〜３分以上、好ましくは、４〜５分以上である。前記変動電位や電場中では、クウォークが発生し易く（多く発生し）、ニュートリノは発生の可能性が考えられる。
【００１２】
こうして量子情報を記憶した記憶素子を使用して前記液晶画面に画面表示が行われると、該記憶素子における前記量子情報のエネルギーが液晶の微粒子（特に原子核）に共振して液晶画面に量子エネルギーを発生させ、その量子エネルギーが瞬間移動する量子テレポーテーション現象によって、液晶画面に映っている前記治療対象部位を治療することになる。すなわち、前記治療対象部位と、液晶画面とは、量子テレポーテーション部を構成する。そして、たとえば、量子テレポーテーション現象によって、組織を活性化し、患部の血行を促進したり、患部の治癒効果を高めたりすることができる。
【００１３】
したがって、被治療者の治療対象部位（患部）の画像を表示できれば治療を行うことができるので、病院に限らず、遠隔治療を行うことができる。たとえば、被治療者の自宅で、医師の指導の下に、自身で写真を撮って治療を行ったり、救急搬送中の救急車の中などでも、容易に治療を行うことができる。しかも、前記予め定める周期に応じて、対象とする症状を、異ならせることができる。また、フラッシュメモリを量子化するだけであるので、電子機器自体を量子化するのに比べて極めて容易であり、かつフラッシュメモリがカード化されている場合、スロットがあれば任意の電子機器に装着して、量子治療器にできる。
【００１４】
また、本考案の量子治療器では、前記予め定める周期は、２〜２０００Ｈｚ、好ましくは２〜１００Ｈｚであることを特徴とする。
【００１５】
上記の構成によれば、人の血行改善効果を得ることができ、肩凝りやむくみが解消したり、傷口が早く治ったりするようになる。
【００１６】
さらにまた、本考案の量子治療器では、前記量子の照射は、前記記憶素子を導電板上に搭載し、該導電板に前記予め定める周期の負の電圧を印加することで行われることを特徴とする。
【００１７】
上記の構成によれば、記憶素子の量子化を、該記憶素子を導電板上に搭載し、導電板に前記予め定める周期の負の電圧を印加し、負の電位や電場を印加することで行う。こうして、導電板に発生した光子、電子、クウォーク、ニュートリノ等の量子がフラッシュメモリの素材原子に作用し、量子情報を記憶させることができる。そして、与える電圧を負の電圧とすることで、量子エネルギーを増加することができる。
【００１８】
また、本考案の量子治療器では、前記記憶素子がカード状に形成され、着脱自在であることを特徴とする。
【００１９】
上記の構成によれば、前記記憶素子がＳＩＭカードやＳＤカード（登録商標）などのカード状に形成され、着脱自在であるので、記憶素子だけを纏めて量子を照射することが可能になり、簡単かつ低コストに、量子情報を記憶させることができる。
【００２０】
さらにまた、本考案の量子治療器は、スマートフォンであることを特徴とする。
【００２１】
上記の構成によれば、スマートフォンのカメラ機能を使用して、被治療者または協力者が、前記治療対象部位（患部）を撮影して、そのままスマートフォンの液晶画面に画像を表示させて、量子エネルギーを照射することができ、利便性を向上することができる。
【００２２】
また、本考案の量子治療器は、デジタルカメラであることを特徴とする。
【００２３】
上記の構成によれば、被治療者または協力者が、前記治療対象部位（患部）を撮影して、そのまま液晶画面に画像を表示させて、量子エネルギーを照射することができ、利便性を向上することができる。
【考案の効果】
【００２４】
本考案の量子治療器は、以上のように、液晶画面を備える所謂スマートフォンなどで実現され、前記液晶画面に被治療者の治療対象部位（患部）の画像を表示させる一方、量子治療器には、前記液晶画面での画面表示のために使用される記憶素子が設けられており、その記憶素子には量子を予め定める周期で照射して量子情報を記憶させておくことで、前記量子情報のエネルギーが液晶の微粒子に共振して液晶画面に量子エネルギーを発生させ、その量子エネルギーが量子テレポーテーション現象によって治療対象部位を治療する。
【００２５】
それゆえ、被治療者の治療対象部位（患部）の画像を表示できれば治療を行うことができるので、病院に限らず、遠隔治療を行うことができる。また、記憶素子を量子化するだけであるので、電子機器自体を量子化するのに比べて極めて容易であり、かつ記憶素子がカード化されている場合、スロットがあれば任意の電子機器に装着して、量子治療器にできる。
【図面の簡単な説明】
【００２６】
【図１】本考案の実施の一形態に係る量子治療器の使用方法を説明するための斜視図である。
【図２】メモリカードへの量子情報の照射方法を模式的に示す図である。
【図３】メモリカードへの量子情報の照射方法を模式的に示す波形図である。
【考案を実施するための形態】
【００２７】
図１は、本考案の実施の一形態に係る量子治療器１の使用方法を説明するための斜視図である。本実施形態の量子治療器１は、所謂スマートフォンから成る携帯情報端末２に、記憶素子を装着して構成される。図１の例では、記憶素子としては、フラッシュメモリから成るＳＤカード（登録商標、以下メモリカードと言う）３で示しているが、他にも、ＳＩＭカード、マイクロＳＤカード（登録商標）、ＵＳＢメモリなどの着脱自在な記憶素子であればよい。携帯情報端末２には、その正面に、タッチパネルを備える液晶画面２１が搭載されている。本考案の量子治療器１には、液晶画面２１を備えていればよく、所謂タブレット端末、デジタルカメラ、パーソナルコンピュータなどであってもよい。
【００２８】
メモリカード３は、書き込み可能で、その書き込まれた情報が、電力付勢無しで保持される不揮発性のＥＥＰＲＯＭなどから構成される。このメモリカード３には、液晶画面２１に表示される画像の情報などが記憶されており、このメモリカード３を携帯情報端末２に装着することで、複数の電極３１を通して携帯情報端末２に前記の情報が書込みおよびまたは読出し可能になる。
【００２９】
注目すべきは、本実施形態では、このように携帯情報端末２に使用されるメモリカード３において、該メモリカード３は、量子を予め定める周期で照射されることで量子情報３２を記憶しており、携帯情報端末２の通電により、該メモリカード３における量子情報３２のエネルギーが液晶の微粒子、主に原子核に共振し、液晶画面２１から量子エネルギー２２を発生させることである。一方、液晶画面２１には、該携帯情報端末２に内蔵のカメラ２５によって撮影され、前記メモリカード３に記憶された被治療者９の治療対象部位（患部）９２の画像９２ａが映し出されている。図１の例では、治療対象部位（患部）９２は、被治療者９の左手である。
【００３０】
図２は、メモリカード３への量子情報３２の照射方法を模式的に示す図である。図２（ａ）で示すように、量子情報３２の照射は、メモリカード３を導電板５上に載置し、その導電板５に予め定める周期の負の電圧を印加し、負の電位や電場を所定時間印加することで行うことができる。導電板５は、図２（ｂ）で示す印加回路７や、図２（ｃ）で示す印加回路８からの負の電圧が印加されることで、メモリカード３に前記電位や電場を与える。導電板５は、図２（ａ）で示すように、たとえばＭΩ以上の高抵抗６を介して接地されていてもよい。
【００３１】
印加回路７は、交流電源７１の一方の端子に接続されるダイオード７２および抵抗７３の直列回路と、他方の端子に接続されるダイオード７４および抵抗７５の直列回路とを備えて構成される。ダイオード７２，７４のカソードが交流電源７１に接続され、アノードが抵抗７３，７５の一端に接続される。これによって、抵抗７３，７５の他端から取出された図３（ａ）で示すような前記負で半波の電圧が、導電板５に印加される。交流電源７１は、単相２線の場合、１線は柱上変圧器内などで接地されており、この印加回路７は、２線の何れがホット側か不明な場合に、確実に負の電圧を取出すことができるようになっている。
【００３２】
また、印加回路８は、ダイオード８２〜８５から成るダイオードブリッジで構成される。交流電源８１の一方の端子にはダイオード８２のカソードおよびダイオード８４のアノードが接続され、他方の端子にはダイオード８３のカソードおよびダイオード８５のアノードが接続され、ダイオード８４，８５のカソードが接地される。これによって、ダイオード８２，８３のアノードから取出された図３（ｂ）で示すような前記負で全波の電圧が、導電板５に印加される。
【００３３】
交流電源７１，８１は、２〜２０００Ｈｚ、好ましくは２〜１００Ｈｚの電圧を印加する。交流電源７１，８１が商用電源である場合、５０または６０Ｈｚで、たとえば１００Ｖ（実効値）の電圧が、導電板５に印加されることになる。なお、本実施形態で交流電源７１，８１を使用しているのは、回路が簡単であるためで、周期的な負の電圧としては、三角波、矩形波或いはパルス波などであってもよい。
【００３４】
このように導電板５に周期的な負の電圧を印加することで、メモリカード３には、光子、電子、クウォーク、ニュートリノ等、１７種の量子の内の何れかが照射される（中でも、クウォークが発生し易く（多く発生し）、ニュートリノは発生の可能性が考えられる）ことになり、所定時間、具体的には２〜３分以上、好ましくは、４〜５分以上照射されることで、該メモリカード３には量子情報３２が記憶される。そして、その量子情報３２を記憶したメモリカード３を携帯情報端末２のスロットに装着し、該携帯情報端末２の電源を入れてメモリカード３に通電すると、該メモリカード３の量子情報３２のエネルギーが液晶画面２１に与えられて、該メモリカード３と液晶の微粒子、主に原子核とが共振し、液晶画面２１に量子エネルギー２２が発生することになる。
【００３５】
すると、その量子エネルギー２２が、量子テレポーテーション現象によって、液晶画面２１の画像９２ａに映っている治療対象部位（患部）９２を治療する。たとえば、量子テレポーテーション現象によって、組織を活性化し、患部９２の血行を促進したり、患部９２の治癒効果を高めたりすることができる。この量子テレポーテーション現象は、本件考案者が確認し、先に特開２０１２−１２５３７２号公報および特開２０１２−１６１７３４号公報でも示している。
【００３６】
したがって、被治療者９の治療対象部位（患部）９２の画像９２ａを表示できれば、治療を行うことができるので、病院に限らず、遠隔治療を行うことができる。たとえば、被治療者９の自宅で、医師の指導の下に、自身で写真を撮って治療を行ったり、救急搬送中の救急車の中などでも、容易に治療を行うことができる。その場合、治療対象部位（患部）９２を撮影するカメラ２５と、量子エネルギーの照射を行う電子機器とが、相互に遠隔地にあってもよい。つまり、上述の例では、被治療者９や救急隊員が第１の携帯情報端末で治療対象部位（患部）９２を撮影して、画像データを第２の携帯情報端末へ送信し、その第２の携帯情報端末の液晶画面２１に画像９２ａを表示させ、メモリカード３を使用して量子エネルギーの照射を行う。
【００３７】
しかも、前記予め定める周期に応じて、対象とする症状を、異ならせることができる。たとえば、前記予め定める周期を、２〜２０００Ｈｚ、好ましくは２〜１００Ｈｚとすることで、本件考案者の実験結果によれば、人の血行改善効果を得ることができ、肩凝りやむくみが解消したり、傷口が早く治ったりするようになる。
【００３８】
また、メモリカード３を量子化するだけであるので、電子機器、すなわち携帯情報端末２自体を量子化するのに比べて、極めて容易であり、かつメモリカード３のスロットがあれば任意の電子機器に装着して、量子治療器とすることができる。
【００３９】
さらに、電子機器としては、メモリカード３を装着したタブレット端末や、ノートパソコンなどでもよいが、上記のカメラ２５を備え、液晶画面２１によって撮影画像９２ａを表示可能な前記スマートフォンや、デジタルカメラなどは、それ１台で治療を行うことができるので、好適である。
【００４０】
なお、光子、電子、クウォーク、ニュートリノ等の量子をメモリカード３に照射するにあたって、導電板５には正または複数の何れの電圧を与えてもよいが、本件考案者の実験によれば、正の電圧を与える場合、すなわち図２におけるダイオード７２，７４；８２〜８５の極性を反対にした場合、メモリカード３に与えられる量子情報３２が、負の電圧を与えた場合よりも減少するので、図２および図３で示すように、負の電圧を与えることが、極めて効率的である。
【符号の説明】
【００４１】
１    量子治療器
２    携帯情報端末
２１    液晶画面
２２    量子エネルギー
２５    カメラ
３    メモリカード
３１    電極
３２    量子情報
５    導電板
６    高抵抗
７    印加回路
７１    交流電源
７２，７４    ダイオード
７３，７５    抵抗
８１    交流電源
８２〜８５    ダイオード
９    被治療者
９２    治療対象部位（患部）
９２ａ  画像
【図１】
0003200035.tif 000003
【図２】
0003200035.tif 000004
【図３】
0003200035.tif 000005